(57)【要約】      （修正有）【課題】給電が必要な部材或いは装置をスムーズに動作させる運動器具及び給電装置を提供する。【解決手段】軸部１３２を有し、操作抵抗力を提供する抵抗装置１３と、抵抗装置の二側にそれぞれ位置され、それらの一端は軸部に連接される２つのクランク１４と、１つないしは複数の導電リング２０で構成され、抵抗装置の同じ一側に位置されるか、或いは抵抗装置の対向する二側にそれぞれ位置される給電装置２とを備え、各導電リングは軸部に同軸で連結されると共に軸部の周りを回転することを特徴とする。【選択図】図１
0003198173.tif 000002
【実用新案登録請求の範囲】
【請求項１】
軸部を有し、操作抵抗力を提供する抵抗装置と、
前記抵抗装置の二側にそれぞれ位置され、それらの一端は前記軸部に連接される２つのクランクと、
１つないしは複数の導電リングで構成され、前記抵抗装置の同じ一側に位置されるか、或いは前記抵抗装置の対向する二側にそれぞれ位置される給電装置とを備え、
各前記導電リングは前記軸部に同軸で連結されると共に前記軸部の周りを回転することを特徴とする、
運動器具。
【請求項２】
各前記導電リングは第一極性リングと、第二極性リングと、接合部材とを備え、前記接合部材は前記第一極性リング及び前記第二極性リングにそれぞれ接触される２つの接触部材を含むことを特徴とする、請求項１記載の運動器具。
【請求項３】
前記給電装置は、前記抵抗装置の同じ一側に位置される２つの導電リングを備えることを特徴とする、請求項１記載の運動器具。
【考案の詳細な説明】
【技術分野】
【０００１】
本考案は、運動器具及びその給電装置に関する。
【背景技術】
【０００２】
クロストレーナー（登録商標）、トレッドミル、エアロバイク等の多くの運動器具では駆動輪を有する。使用者が身体の部位で力をかけることで駆動輪を回転させ、駆動輪が間接的或いは直接的に抵抗力を提供して、運動の目的を達成させる。
【０００３】
体格の違う使用者に合わせるため、或いは異なる運動の抵抗力を提供するために、これら運動器具は機構の位置を度々調整させねばならない。これは通常、駆動構造の設計で上述の目的を達成させる。
【考案の概要】
【考案が解決しようとする課題】
【０００４】
しかしながら、前述した従来の技術では、即ち、駆動構造の供給電源は、その構造や位置が制限されるため、克服困難な課題であった。
【０００５】
そこで、本考案者は上記の欠点が改善可能と考え、鋭意検討を重ねた結果、合理的設計で上記の課題を効果的に改善する本考案の運動器具及びその給電装置の提案に到った。
【０００６】
本考案は、このような従来の問題に鑑みてなされたものである。上記課題解決のため、本考案は、運動器具及びその給電装置を提供することを主目的とする。
【課題を解決するための手段】
【０００７】
上述した課題を解決し、目的を達成するために、本考案に係る運動器具は、
軸部を有し、操作抵抗力を提供する抵抗装置と、前記抵抗装置の二側にそれぞれ位置され、それらの一端は前記軸部に連接される２つのクランクと、１つないしは複数の導電リングで構成され、前記抵抗装置の同じ一側に位置されるか、或いは前記抵抗装置の対向する二側にそれぞれ位置される給電装置とを備え、
ここでは、各前記導電リングは前記軸部に同軸で連結されると共に前記軸部の周りを回転する。
【考案の効果】
【０００８】
本考案の運動器具の給電装置によれば、給電が必要な部材や装置がスムーズに動作する。
【図面の簡単な説明】
【０００９】
【図１】本考案の実施形態による運動器具及びその給電装置を示す外観斜視図である。
【図２】図１に示す部分の拡大である。
【図３】本考案の実施形態による運動器具及びその給電装置を示す外観斜視図である。
【図４】本考案の実施形態による運動器具及びその給電装置を示す外観斜視図である。
【図５】図３に示す給電装置が運動器具に使用されている外観斜視図である。
【図６】図３に示す給電装置が運動器具に使用されている部分の外観斜視図である。
【図７】図３に示す給電装置が運動器具に使用されている部分の外観斜視図である。
【図８】本考案の実施形態による給電装置を有する運動器具を示す側面図である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。なお、いつくかの実施形態において、同じないしは相似する部材の符号は同じ、相似する、ないしは類似する部材及び／或いは素子を示すが、但しいくつかの実施形態においては、異なる部材を示す。
いくつかの実施形態では、方向を示す名詞の上、下、左、右、上向き、下向き、超過、上方、下方、後面、前面等は字義通り解釈するが、但し他の実施形態では字義通りに解釈しない。また、本考案の部材を分かりやすく表示するため、図中では一部の部材を省略する。明細書において、読者に本考案の理解を促すために、特定の部分を仔細に亘って図示する。然しながら、本考案ではこれらの特定の細部を一部或いは全部省略しても実施可能である。
【００１１】
＜第１実施形態＞
図１は本考案の実施形態による運動器具１の給電装置２を図示する。運動器具１は操作抵抗力を提供する抵抗装置１３を備える。運動器具１は限定はしないが、クロストレーナー、エアロバイク、トレッドミル、或いは他の磁気制御輪を利用して抵抗力を発生させる器具を含む。本実施形態では、運動器具１はクロストレーナーである。
【００１２】
また、給電装置２の主要部材は、抵抗装置１３の同じ一側に位置されるか、或いは対向する二側に位置される１つないしは複数の導電リング２０を備える。この好ましい実施態様では、給電装置２は抵抗装置１３の同じ一側に位置される２つの導電リング２０を具備する。
【００１３】
なお、本実施形態では、抵抗装置１３は限定するわけではないが、使用者が力をかけて駆動させ、磁気制御輪１３１に連結され、磁力により抵抗値を発生させる駆動輪１３０を備える。他の実施形態では、抵抗装置１３は、駆動輪１３０に隣接して設置される磁気抵抗装置を有する単一の駆動輪１３０のみを具備する。抵抗装置１３は軸部１３２を有する。
本実施形態において、軸部１３２は駆動輪１３０に設置され、導電リング２０は軸部１３２に同軸で連結され、導電リング２０が軸部１３２の周囲を回転する。
【００１４】
さらに、運動器具１は、抵抗装置１３の二側にそれぞれ位置される２つのクランク１４を備え、各クランク１４の一端は軸部１３２に連結される。使用者が身体の部位で、例えば手や足でクランク１４に力をかけて軸部１３２の周囲を回転させる。
本実施形態では、導電リング２０が軸部１３２の周囲を駆動輪１３０に連動して回転する。他の実施形態では、導電リング２０は駆動輪１３０に連動しての回転はしない。
【００１５】
図２は図１に示す給電装置２の部分的拡大図である。導電リング２０は第一極性リング２０２及び第二極性リング２０４を有し、例えば正極リング２０２及び負極リング２０４であり、金属ないしは導電材質で製造され、且つ運動器具１の供給電源に電気的に接続される（図１及び図２参照）。
【００１６】
さらに、図１及び図２に示すように、給電装置２は１つないしは複数の接合部材２２を備え、各接合部材２２は、導電リング２０の第一極性リング２０２及び第二極性リング２０４にそれぞれ電気的に接続される２つの導電部材２４を含む。
運動器具１は１つないしは複数の駆動構造を有し、或いは電力供給が必要な１つないしは複数の感知器や電子装置等を有し、これら駆動構造、感知器、或いは電子装置は接合部材２２の導電部材２４を介して導電リング２０に電気的に接続される。
【００１７】
図３及び図４は本考案の実施形態による運動器具１及びその給電装置２を示す外観斜視図である。本実施形態では、抵抗装置１３の二側に位置される２つのクランク１４は、調整機構１７にそれぞれ連結され、クランク１４の有効な長さの調整に用いられ、２つの調整機構１７は１つの導電リング２０にそれぞれ電気的に接続される。
【００１８】
各調整機構１７はモーター１７０と、スクリュー１７２と、駆動ブロック１７４とを備える（図３参照）。モーター１７０によりスクリュー１７２が駆動されて回転し、駆動ブロック１７４は、スクリュー１７２に噛合される内ねじ山を有する（図示せず）。これにより、モーター１７０によりスクリュー１７２が駆動されて回転すると、駆動ブロック１７４がスクリュー１７２に沿ってモーター１７０から離れるか接近する方向に移動する。
【００１９】
また、各クランク１４は凹部１４０を有し、駆動ブロック１７４の一部分は凹部１４０内まで延伸され、これにより駆動ブロック１７４が駆動されて凹部１４０内で移動する（図３参照）。なお、図３に示すように、モーター１７０によりスクリュー１７２が駆動されて回転し、駆動ブロック１７４がモーター１７０に接近する方向に移動すると、クランク１４の有効な長さを相当に減少させる。
図４に示すように、モーター１７０によりスクリュー１７２が駆動されて回転し、駆動ブロック１７４がモーター１７０から離れる方向に移動すると、クランク１４の有効な長さを相当に増加させる。
【００２０】
図５は外観斜視図であり、図３及び図４の構造を示す。運動器具１に応用され、例えばクロストレーナー１であり、クロストレーナー１の運動軌道の調整を行う。
【００２１】
運動器具１（或いはクロストレーナー１）の主要な部材は骨組み１０と、２つのスイングアーム１１と、２本の連接棒１２と、抵抗装置１３と、２つのクランク１４と、２本の支持棒１５と、２つのベルト１６（図５参照）とを備える。
本実施形態では、骨組み１０は限定されるわけではないが、ベース１０１と、メインフレーム１０２と、直立管１０３とを含む。ベース１０１は支持面もしくは地面に位置され、メインフレーム１０２はベース１０１の上方に位置され、直立管１０３はメインフレームの上方に位置される。例示として示すのみで制限するものではないが、直立管１０３の一端はメインフレーム１０２に連結される、他端は使用者が操作に使用する操作インターフェースを有する（図示せず）。
【００２２】
図５に示すように、上述の２つのスイングアーム１１及び２本の連接棒１２はメインフレーム１０２の二側にそれぞれ位置される。各スイングアーム１１はメインフレーム１０２に枢接される枢動部１１０を有し、スイングアーム１１は枢動部１１０の周囲を前後に擺動する。また、各スイングアーム１１の一端は使用者が把持するための把持部１１２を有し、他端は連接棒１２に対応する一端に連結され、前記連接棒１２に対応する他端は対応するベルト１６に連結される。
【００２３】
ちなみに、上述の実施形態は修飾、交換、或いは変更可能である。例えば、他の実施形態では、抵抗装置１３の軸部１３２は磁気制御輪１３１に設置され、導電リング２０は磁気制御輪１３１に設置され、且つ磁気制御輪１３１に従って回転する。
【００２４】
図６及び図７は図５のクロストレーナーの部分的拡大図である。抵抗装置１３はメインフレーム１０２に架設され、且つ操作抵抗力を提供する（図６参照）。２つのクランク１４は抵抗装置１３の二側にそれぞれ位置される。抵抗装置は軸部１３２を有し、各クランク１４の一端は軸部１３２に連結され、前述の駆動ブロック１７４は支持棒１５の先端１５０の軸１７４０に枢接される。支持棒１５の後端はローラー１５２等のスライド部１５２を有し、ベース１０１の軌道１０１２に当接される。なお、各支持棒１５は１つのベルト１６に連結される支持部１５４を有し、且つ支持部１５４は連接棒１２の部位に枢接される。
上述の構造により、クランク１４が軸部１３２の周囲を回転し、ベルト１６の運動軌道は楕円か楕円に近似する軌道になり、且つ支持棒１５のスライド部１５２が軌道１０１２で往復運動を行う。
【００２５】
モーター１７０によりスクリュー１７２が駆動されて回転し、駆動ブロック１７４がモーター１７０から離れる方向に移動すると、クランク１４の有効な長さを相当に増加させ、ベルト１６の楕円運動の軌道を大きめに変化させる（図６参照）。モーター１７０によりスクリュー１７２が駆動されて回転し、駆動ブロック１７４がモーター１７０に接近する方向に移動すると、クランク１４の有効な長さを相当に減少させ、ベルト１６の楕円運動の軌道を小さめに変化させる（図７参照）。
【００２６】
図８は本考案の他の実施形態による給電装置を有する運動器具３を示す側面である。本実施形態では、運動器具３は固定式エアロバイクであり、給電装置２は運動器具３の抵抗装置１３に設置され（図８参照）、抵抗装置１３は限定されないが、使用者が力をかけて駆動させる駆動輪１３０を備え、磁気制御輪１３１に連結され、磁力により抵抗値を発生させる。他の実施形態では、抵抗装置１３は、抵抗力を提供する磁気抵抗装置を有する単一の駆動輪１３０のみを具備する。抵抗装置１３は駆動輪１３０に設置される軸部１３２を有し、導電リング２０は軸部１３２に同軸で連結され、導電リング２０が軸部１３２の周囲を回転する。
他の実施形態では、導電リング２０は磁気制御輪１３１に設置され、且つ磁気制御輪１３１に従って回転する。そして、運動器具１は抵抗装置１３の二側にそれぞれ位置される２つのクランク１４を備え、各クランク１４の一端は軸部１３２に連結される。使用者は足でクランク１４に力をかけて軸部１３２の周囲を回転させる。
本実施形態では、導電リング２０は軸部１３０の周囲を駆動輪１３０に連動して回転する。他の実施形態では、導電リング２０は駆動輪１３０に連動しての回転はしない。給電装置の他の細部は前述の実施形態と同様であり、再述は省く。
【００２７】
以上のとおり、本考案は運動器具の給電装置を提供し、給電が必要な部材或いは装置をスムーズに動作させる。
【００２８】
従って、本明細書に開示された実施例は、本考案を限定するものではなく、説明するためのものであり、このような実施例によって本考案の思想と範囲が限定されるものではない。本考案の範囲は請求の範囲により解釈すべきであり、それと同等の範囲内にある全ての技術は、本考案の権利範囲に含まれるものと解釈すべきである。
【符号の説明】
【００２９】
１      運動器具
２      給電装置
３      運動器具
１０    骨組み  
１１    スイングアーム
１２    連接棒
１３    抵抗装置
１４    クランク
１５    支持棒
１６    ベルト
１７    駆動ブロック
２０    導電リング
２２    接合部材
２４    導電部材
１０１  ベース
１０２  メインフレーム
１０３  直立管
１１０  枢動部
１１２  把持部
１３０  駆動輪
１３１  磁気制御輪
１３２  軸部
１４０  凹部
１５０  先端
１５２  スライド部
１５４  支持部
１７０  モーター
１７２  スクリュー
１７４  駆動ブロック
【図１】
0003198173.tif 000003
【図２】
0003198173.tif 000004
【図３】
0003198173.tif 000005
【図４】
0003198173.tif 000006
【図５】
0003198173.tif 000007
【図６】
0003198173.tif 000008
【図７】
0003198173.tif 000009
【図８】
0003198173.tif 000010